【手続補正書】
【提出日】平成23年2月9日(2011.2.9)
【手続補正１】
【補正対象書類名】特許請求の範囲
【補正対象項目名】全文
【補正方法】変更
【補正の内容】
【特許請求の範囲】
【請求項１】
潜像が形成される潜像担持体と、
トナー、キャリア液、およびキャリア液に溶解する分散剤と、を含有する液体現像剤で前記潜像担持体に形成された前記潜像を現像する現像部と、
前記潜像担持体に現像された像が転写される中間転写媒体と、
前記中間転写媒体と当接して前記中間転写媒体に転写された前記像を転写材に転写する転写ローラと、
前記転写部で前記転写材に前記像を転写した中間転写媒体に分散剤回収液を塗布する分散剤回収液塗布手段と、を有し、
前記中間転写媒体に転写された前記像の前記転写材への転写が終了した後に、前記中間転写媒体に前記分散剤回収液塗布手段によって前記分散剤回収液の塗布を開始するように制御することを特徴とする画像形成装置の制御方法。
【請求項２】
前記中間転写媒体に前記像が転写された後に、前記分散剤回収液塗布手段による前記中間転写媒体へ前記分散剤回収液の塗布を開始するまでの間に、前記転写ローラを前記中間転写媒体から離間するように制御する請求項１記載の画像形成装置の制御方法。
【請求項３】
前記転写ローラの離間は、前記分散剤回収液の塗布が終了するまで継続する請求項２記載の画像形成装置の制御方法。
【請求項４】
前記潜像担持体から前記中間転写媒体への前記像の転写が終了した後、前記中間転写媒体の移動速度を前記潜像担持体から前記中間転写媒体へ前記像を転写するときの前記中間転写媒体の移動速度よりも速くする請求項１ないし３のいずれか１項記載の画像形成装置の制御方法。
【請求項５】
前記分散剤回収液塗布手段によって塗布された前記分散剤回収液の前記中間転写媒体への塗布開始位置が、前記潜像担持体から前記中間転写媒体に前記像を転写する位置に到達する前に、前記潜像担持体を前記中間転写媒体から離間する請求項１ないし３のいずれか１項記載の画像形成装置の制御方法。
【請求項６】
前記潜像担持体と前記中間転写媒体とを当接させた状態で前記潜像担持体に一周分以上前記分散剤回収液が塗布されるまで回転させた後に、前記潜像担持体と前記中間転写媒体との間を離間して前記中間転写媒体の一周分以上の移動を行って前記中間転写媒体へ前記分散剤回収液の塗布を行う請求項１記載の画像形成装置の制御方法。
【請求項７】
潜像が形成される潜像担持体と、
トナー、キャリア液、およびキャリア液に溶解する分散剤を含有した液体現像剤を搬送して回転する現像ローラを有し、前記潜像を現像する現像部と、
前記潜像担持体に現像された像が転写される中間転写媒体と、
前記中間転写媒体をクリーニングする中間転写媒体クリーニング部と、
前記中間転写媒体に分散剤回収液を塗布する塗布手段と、
を設けたことを特徴とする画像形成装置。
【手続補正２】
【補正対象書類名】明細書
【補正対象項目名】０００５
【補正方法】変更
【補正の内容】
【０００５】
本発明は、潜像が形成される潜像担持体と、トナー、キャリア液、およびキャリア液に溶解する分散剤と、を含有する液体現像剤で前記潜像担持体に形成された前記潜像を現像する現像部と、前記潜像担持体に現像された像が転写される中間転写媒体と、前記中間転写媒体と当接して前記中間転写媒体に転写された前記像を転写材に転写する転写ローラと、前記転写部で前記転写材に前記像を転写した中間転写媒体に分散剤回収液を塗布する分散剤回収液塗布手段と、を有し、前記中間転写媒体に転写された前記像の前記転写材への転写が終了した後に、前記中間転写媒体に前記分散剤回収液塗布手段によって前記分散剤回収液の塗布を開始するように制御する画像制御装置の制御方法であるので、キャリア液に溶解可能な分散剤が中間転写媒体クリーニング装置によって除去されずに残留したり、中間転写媒体上に残留した場合でも、現像剤中の分散剤が溶解可能な液を中間転写媒体に塗布することにより、分散剤回収液は潜像担持体上の分散剤を溶解および希釈した後に、分散剤回収液とともに確実に除去することが可能となる。
【手続補正３】
【補正対象書類名】明細書
【補正対象項目名】０００６
【補正方法】変更
【補正の内容】
【０００６】
また、前記中間転写媒体に前記像が転写された後に、前記分散剤回収液塗布手段による前記中間転写媒体へ前記分散剤回収液の塗布を開始するまでの間に、前記転写ローラを前記中間転写媒体から離間するように制御する画像形成装置の制御方法であるので、転写ローラに分散剤が溶解可能な液が付着することはなく紙等の転写材に塗布液が付着する等の問題を生じることはない。
【手続補正４】
【補正対象書類名】明細書
【補正対象項目名】０００７
【補正方法】変更
【補正の内容】
【０００７】
また、前記転写ローラの離間は、前記分散剤回収液の塗布が終了するまで継続する前記の画像形成装置の制御方法であるので、転写ローラに分散剤回収液の付着して転写材の汚れ防止することができる。
【手続補正５】
【補正対象書類名】明細書
【補正対象項目名】０００８
【補正方法】変更
【補正の内容】
【０００８】
前記潜像担持体から前記中間転写媒体への前記像の転写が終了した後、前記中間転写媒体の移動速度を前記潜像担持体から前記中間転写媒体へ前記像を転写するときの前記中間転写媒体の移動速度よりも速くする前記の画像形成装置の制御方法である。このように、中間転写媒体の速度を潜像担持体から中間転写媒体への転写時よりも速くする場合には、中間転写媒体に塗布した分散剤回収液が当接する潜像担持体上への移行する量が小さくなり、中間転写媒体上に塗布された液の多くを保持することができるので、中間転写媒体上の分散剤の除去を効果的に行うことが可能となる。
【手続補正６】
【補正対象書類名】明細書
【補正対象項目名】０００９
【補正方法】変更
【補正の内容】
【０００９】
また、前記分散剤回収液塗布手段によって塗布された前記分散剤回収液の前記中間転写媒体への塗布開始位置が、前記潜像担持体から前記中間転写媒体に前記像を転写する位置に到達する前に、前記潜像担持体を前記中間転写媒体から離間する前記の画像形成装置の制御方法である。
このように、潜像担持体を離間することによって塗布手段によって塗布した液が潜像担持体側へ移行することを防止することができる。
【手続補正７】
【補正対象書類名】明細書
【補正対象項目名】００１０
【補正方法】変更
【補正の内容】
【００１０】
また、前記潜像担持体と前記中間転写媒体とを当接させた状態で前記潜像担持体に一周分以上前記分散剤回収液が塗布されるまで回転させた後に、前記潜像担持体と前記中間転写媒体との間を離間して前記中間転写媒体の一周分以上の移動を行って前記中間転写媒体へ前記分散剤回収液の塗布を行う前記の画像形成装置の制御方法である。
このように、中間転写媒体を画像形成位置の後端から一周させて中間転写媒体上から液体現像剤の残留物を中間転写媒体クリーニング装置によって除去した後に分散剤が溶解可能な液の塗布することにより、分散剤回収液による分散剤の除去効果を高めることが可能となる。
【手続補正８】
【補正対象書類名】明細書
【補正対象項目名】００１１
【補正方法】変更
【補正の内容】
【００１１】
また、潜像が形成される潜像担持体と、トナー、キャリア液、およびキャリア液に溶解する分散剤を含有した液体現像剤を搬送して回転する現像ローラを有し、前記潜像を現像する現像部と、前記潜像担持体に現像された像が転写される中間転写媒体と、  前記中間転写媒体をクリーニングする中間転写媒体クリーニング部と、  前記中間転写媒体に分散剤回収液を塗布する塗布手段と、を設けた画像形成装置であるので、液体現像剤中の分散剤が溶解可能な分散剤回収液を塗布する塗布手段によって塗布し、中間転写媒体上の分散剤を溶解、希釈した後に、中間転写媒体クリーニング装置によって除去することができる。